(57)【特許請求の範囲】
【請求項１】
光学撮像レンズであって、
各々が物体側に向いた物体側の面と像側に向いた像側の面とを有する、第１のレンズ素子と、第２のレンズ素子と、第３のレンズ素子と、第４のレンズ素子と、第５のレンズ素子と、を光軸に沿って当該順序で物体側から像側へ亘って備え、
各々が屈折力を有するとともに、前記第１乃至第５のレンズ素子のみが当該光学撮像レンズに対し全体として屈折力を有せしめ、
前記第１のレンズ素子と前記第２のレンズ素子との前記光軸に沿った間に配置される開口絞りをさらに備え、
前記第１のレンズ素子は、周縁部近傍に凸部をなす前記物体側の面を有し、
前記第２のレンズ素子は、前記光軸近傍に凸部をなす前記像側の面を有し、
前記第３のレンズ素子は、前記光軸近傍に凹部をなす前記物体側の面を有し、
前記第４のレンズ素子は、前記光軸近傍に凸部をなす前記物体側の面と、前記光軸近傍に凸部をなす前記像側の面とを有し、
前記第５のレンズ素子は、プラスチック材料で構成されるとともに、前記光軸近傍に凹部をなす前記像側の面を有し、
前記第１のレンズ素子の前記光軸に沿った中心厚を示すＣＴ１と、前記第４のレンズ素子の前記光軸に沿った中心厚を示すＣＴ４とは、式
１．４０≦ＣＴ４／ＣＴ１
を満たし、
前記５つのレンズ素子すべての前記光軸に沿った厚さの和を示すＡＬＴと、前記第１のレンズ素子から前記第５のレンズ素子までのすべての隣り合うレンズ素子どうしの４つの前記光軸に沿った空隙の和を示すＡＡＧとは、式
１．９０≦ＡＬＴ／ＡＡＧ
を満たしている
ことを特徴とする光学撮像レンズ。
【請求項２】
前記ＡＡＧと、前記第２のレンズ素子の前記光軸に沿った中心厚を示すＣＴ２とは、式
ＡＡＧ／ＣＴ２≦２．８０
を満たしていることを特徴とする請求項１に記載の光学撮像レンズ。
【請求項３】
前記ＣＴ２と当該光学撮像レンズの有効焦点距離を示すＥＦＬとは、式
ＥＦＬ／ＣＴ２≦７．００
を満たしていることを特徴とする請求項２に記載の光学撮像レンズ。
【請求項４】
前記第１のレンズ素子と前記第２のレンズ素子との間の前記光軸に沿った空隙を示すＡＣ１２と、前記ＥＦＬとは、式
ＥＦＬ／ＡＣ１２≦３８．００
を満たしていることを特徴とする請求項３に記載の光学撮像レンズ。
【請求項５】
光学撮像レンズであって、
各々が物体側に向いた物体側の面と像側に向いた像側の面とを有する、第１のレンズ素子と、第２のレンズ素子と、第３のレンズ素子と、第４のレンズ素子と、第５のレンズ素子と、を光軸に沿って当該順序で物体側から像側へ亘って備え、
各々が屈折力を有するとともに、前記第１乃至第５のレンズ素子のみが当該光学撮像レンズに対し全体として屈折力を有せしめ、
前記第１のレンズ素子は、周縁部近傍に凸部をなす前記物体側の面を有し、
前記第２のレンズ素子は、前記光軸近傍に凸部をなす前記像側の面を有し、
前記第３のレンズ素子は、前記光軸近傍に凹部をなす前記物体側の面を有し、
前記第４のレンズ素子は、前記光軸近傍に凸部をなす前記物体側の面と、前記光軸近傍に凸部をなす前記像側の面とを有し、
前記第５のレンズ素子は、プラスチック材料で構成されるとともに、前記光軸近傍に凹部をなす前記像側の面を有し、
前記第１のレンズ素子の前記光軸に沿った中心厚を示すＣＴ１と、前記第４のレンズ素子の前記光軸に沿った中心厚を示すＣＴ４とは、式
１．４０≦ＣＴ４／ＣＴ１
を満たし、
前記５つのレンズ素子すべての前記光軸に沿った厚さの和を示すＡＬＴと、前記第１のレンズ素子から前記第５のレンズ素子までのすべての隣り合うレンズ素子どうしの４つの前記光軸に沿った空隙の和を示すＡＡＧとは、式
１．９０≦ＡＬＴ／ＡＡＧ
を満たし、
前記ＡＡＧと、前記第２のレンズ素子の前記光軸に沿った中心厚を示すＣＴ２とは、式
ＡＡＧ／ＣＴ２≦２．８０
を満たし、
前記第３のレンズ素子の前記光軸に沿った中心厚を示すＣＴ３と、前記ＣＴ４と、前記ＡＬＴとは、式
２．８０≦ＣＴ４／ＣＴ３かつ２．７０≦ＡＬＴ／ＣＴ４
を満たしている
ことを特徴とする光学撮像レンズ。
【請求項６】
前記第１のレンズ素子と前記第２のレンズ素子との間の前記光軸に沿った空隙を示すＡＣ１２と、当該光学撮像レンズの有効焦点距離を示すＥＦＬとは、式
ＥＦＬ／ＡＣ１２≦３８．００
を満たしていることを特徴とする請求項１に記載の光学撮像レンズ。
【請求項７】
前記第５のレンズ素子の前記光軸に沿った中心厚を示すＣＴ５と、前記ＡＡＧとは、式
ＡＡＧ／ＣＴ５≦３．８０
を満たしていることを特徴とする請求項６に記載の光学撮像レンズ。
【請求項８】
前記第２のレンズ素子の前記光軸に沿った中心厚を示すＣＴ２と、前記第２のレンズ素子と前記第３のレンズ素子との間の前記光軸に沿った空隙を示すＡＣ２３と、前記第３のレンズ素子と前記第４のレンズ素子との間の前記光軸に沿った空隙を示すＡＣ３４とは、式
１．３０≦ＣＴ２／（ＡＣ２３＋ＡＣ３４）
を満たしていることを特徴とする請求項７に記載の光学撮像レンズ。
【請求項９】
前記第１のレンズ素子と前記第２のレンズ素子との前記光軸に沿った間に配置される開口絞りをさらに備えたことを特徴とする請求項５に記載の光学撮像レンズ。
【発明の詳細な説明】
【技術分野】
【０００１】
本発明は、携帯機器ならびにその光学撮像レンズに関し、特に、５つのレンズ素子を有する光学撮像レンズを適用した携帯機器ならびにその光学撮像レンズに関するものである。
【背景技術】
【０００２】
携帯電話機、デジタルカメラなど、より小型の携帯機器に対する需要がますます高まることによって、それに応じて、その中に収容される光学撮像レンズ、モジュール収容ユニット、撮像センサなどの要素を備えた小型化された撮影モジュールの必要性が高まっている。小型化は、携帯機器の様々な側面からもたらされる場合があり、それには、電荷結合素子（ＣＣＤ）および相補型金属酸化膜半導体（ＣＭＯＳ）だけではなく、その内部に装着される光学撮像レンズも含まれる。ところが、光学撮像レンズを小型化する場合には、良好な光学特性を得ることが困難な問題となる。
【先行技術文献】
【特許文献】
【０００３】
【特許文献１】特開２００３−１４９５４６号公報
【特許文献２】特開２０１０−００８５６２号公報
【特許文献３】台湾特許出願公開第２０１２／３５６９４号
【発明の概要】
【発明が解決しようとする課題】
【０００４】
４つのレンズ素子を有する従来の光学撮像レンズの長さは、一定の範囲に制限できる。しかしながら、市場におけるハイエンド製品の需要がますます高まるにつれて、より多い画素数で優れた品質を示す高水準の光学撮像レンズが求められる。特許文献１および特許文献２はどちらも、５つのレンズ素子を有する光学撮像レンズで構成された光学撮像レンズについて開示したものである。これらの光学撮像レンズの、第１のレンズ素子の物体側の面から像面までの長さは、６ｍｍを超える。また、特許文献３では、ＨＦＯＶ（半視野）は大きいが、光学撮像レンズの長さは９ｍｍに達する。これらの光学撮像レンズは、小型化された携帯機器用としては、長さが大き過ぎる。よって、良好な光学特性も有しつつ、短縮された長さで、その中に５つのレンズ素子を配置できる光学撮像レンズを開発することが必要とされている。
【課題を解決するための手段】
【０００５】
本発明の目的は、携帯機器ならびにその光学撮像レンズを提供することである。凸状もしくは凹状の表面形状を制御し、さらに不等式を制御することによって、光学撮像レンズの長さが短縮されると同時に、良好な光学特性および系の機能性が維持される。
【０００６】
例示的な実施形態において、光学撮像レンズは、光軸に沿って物体側から像側へ順に、第１、第２、第３、第４、第５のレンズ素子を備え、これら第１、第２、第３、第４、第５のレンズ素子の各々は、屈折力を有するとともに、物体側に向いた物体側の面と、像側に向いた像側の面とを有し、該光学撮像レンズでは、第１のレンズ素子の物体側の面は、該第１のレンズ素子の周縁部近傍に凸部を有し、第２のレンズ素子の像側の面は、光軸近傍に凸部を有し、第３のレンズ素子の物体側の面は、光軸近傍に凹部を有し、第４のレンズ素子の物体側の面は、光軸近傍に凸部を有し、第４のレンズ素子の像側の面は、光軸近傍に凸部を有し、第５のレンズ素子は、プラスチック材料で構成されて、その像側の面は、光軸近傍に凹部を有し、また、該光学撮像レンズは、全体として、屈折力を有するレンズ素子を該５つのみ有し、さらに、光軸に沿った第１のレンズ素子の中心厚をＣＴ１とし、光軸に沿った第４のレンズ素子の中心厚をＣＴ４として、ＣＴ１とＣＴ４とは、式、
１．４０≦ＣＴ４／ＣＴ１                        式（１）
を満たしている。
【０００７】
別の例示的な実施形態では、パラメータ間の比に関するものなど、他の式について考慮できる。例えば、光軸に沿った５つのレンズ素子すべての厚さの和ＡＬＴと、光軸に沿った第１のレンズ素子から第５のレンズ素子までのすべての４つの空隙の和ＡＡＧとを、次のような式を満たすように制御できる。
１．９０≦ＡＬＴ／ＡＡＧ                        式（２）；または
【０００８】
第１のレンズ素子と第２のレンズ素子との間の光軸に沿った空隙ＡＣ１２と、光学撮像レンズの有効焦点距離ＥＦＬとを、次のような式を満たすように制御できる。
ＥＦＬ／ＡＣ１２≦３８．００                    式（３）；または
【０００９】
ＡＡＧと、光軸に沿った第２のレンズ素子の中心厚ＣＴ２とを、次のような式を満たすように制御できる。
ＡＡＧ／ＣＴ２≦２．８０                        式（４）；または
【００１０】
ＣＴ２とＥＦＬとを、次のような式を満たすように制御できる。
ＥＦＬ／ＣＴ２≦７．００                        式（５）；または
【００１１】
ＣＴ４と、光軸に沿った第３のレンズ素子の中心厚ＣＴ３とを、次のような式を満たすように制御できる。
２．８０≦ＣＴ４／ＣＴ３                        式（６）；または
【００１２】
ＣＴ４とＡＬＴとを、次のような式を満たすように制御できる。
２．７０≦ＡＬＴ／ＣＴ４                        式（７）；または
【００１３】
ＣＴ２とＣＴ４とを、次のような式を満たすように制御できる。
ＣＴ４／ＣＴ２≦２．３０                        式（８）；または
【００１４】
ＡＬＴと、第２のレンズ素子と第３のレンズ素子との間の光軸に沿った空隙ＡＣ２３と、第４のレンズ素子と第５のレンズ素子との間の光軸に沿った空隙ＡＣ４５とを、次のような式を満たすように制御できる。
３．４０≦ＡＬＴ／（ＡＣ２３＋ＡＣ４５）        式（９）；または
【００１５】
ＡＡＧと、光軸に沿った第５のレンズ素子の中心厚ＣＴ５とを、次のような式を満たすように制御できる。
ＡＡＧ／ＣＴ５≦３．８０                        式（１０）；または
【００１６】
ＣＴ２と、ＡＣ２３と、第３のレンズ素子と第４のレンズ素子との間の光軸に沿った空隙ＡＣ３４とを、次のような式を満たすように制御できる。
１．３０≦ＣＴ２／（ＡＣ２３＋ＡＣ３４）        式（１１）；または
【００１７】
ＣＴ４とＣＴ５とを、次のような式を満たすように制御できる。
ＣＴ４／ＣＴ５≦３．３０                        式（１２）；または
【００１８】
ＣＴ４とＡＣ１２とを、次のような式を満たすように制御できる。
０．３０≦ＡＣ１２／ＣＴ４                      式（１３）
【００１９】
前述の例示的な実施形態は、限定されるものではなく、本明細書に記載の他の実施形態に選択的に組み込むことができる。
【００２０】
一部の例示的な実施形態では、系の性能および／または解像度の制御を強化するため、凸面もしくは凹面構造、屈折力、および／または開口絞りの位置についてのさらなる詳細を、１つの特定のレンズ素子に、または広く複数のレンズ素子に、組み込むことができる。例えば、開口絞りを第１と第２のレンズ素子間に配置することなどが可能である。なお、本明細書で記載される詳細は、いかなる矛盾も生じない限りにおいて、例示的な実施形態に組み込むことができるということに留意すべきである。
【００２１】
別の例示的な実施形態において、ハウジングと、ハウジング内に配置された撮影モジュールと、を備える携帯機器を提供する。撮影モジュールは、前述の例示的な実施形態のいずれかの光学撮像レンズと、レンズ鏡筒と、モジュール収容ユニットと、撮像センサと、を有する。レンズ鏡筒は光学撮像レンズを位置決めするためのものであり、モジュール収容ユニットはレンズ鏡筒を位置決めするためのものであり、撮像センサは光学撮像レンズの像側に配置される。
【００２２】
レンズ素子（複数の場合もある）の凸状もしくは凹状の表面形状、および／または屈折力を制御することによって、例示的な実施形態における携帯機器およびその光学撮像レンズは、良好な光学特性を実現するとともに、光学撮像レンズの長さを効果的に短縮している。
【００２３】
例示的な実施形態について、添付の図面を併用して以下の詳細な説明を読むことで、より容易に理解されるであろう。
【図面の簡単な説明】
【００２４】
【図１】本開示に係る１つのレンズ素子の単独の断面図である。
【図２】本開示に係る５つのレンズ素子を有する光学撮像レンズの第１の実施形態の断面図である。
【図３】本開示に係る光学撮像レンズの第１の実施形態についての縦球面収差および他の種類の光学収差のチャートである。
【図４】本開示に係る光学撮像レンズの第１の実施形態の各レンズ素子についての光学データの表である。
【図５】本開示に係る光学撮像レンズの第１の実施形態についての非球面データの表である。
【図６】本開示に係る５つのレンズ素子を有する光学撮像レンズの第２の実施形態の断面図である。
【図７】本開示に係る光学撮像レンズの第２の実施形態についての縦球面収差および他の種類の光学収差のチャートである。
【図８】本開示の第２の実施形態の光学撮像レンズの各レンズ素子についての光学データの表である。
【図９】本開示に係る光学撮像レンズの第２の実施形態についての非球面データの表である。
【図１０】本開示に係る５つのレンズ素子を有する光学撮像レンズの第３の実施形態の断面図である。
【図１１】本開示に係る光学撮像レンズの第３の実施形態についての縦球面収差および他の種類の光学収差のチャートである。
【図１２】本開示の第３の実施形態の光学撮像レンズの各レンズ素子についての光学データの表である。
【図１３】本開示に係る光学撮像レンズの第３の実施形態についての非球面データの表である。
【図１４】本開示に係る５つのレンズ素子を有する光学撮像レンズの第４の実施形態の断面図である。
【図１５】本開示に係る光学撮像レンズの第４の実施形態についての縦球面収差および他の種類の光学収差のチャートである。
【図１６】本開示の第４の実施形態の光学撮像レンズの各レンズ素子についての光学データの表である。
【図１７】本開示に係る光学撮像レンズの第４の実施形態についての非球面データの表である。
【図１８】本開示に係る５つのレンズ素子を有する光学撮像レンズの第５の実施形態の断面図である。
【図１９】本開示に係る光学撮像レンズの第５の実施形態についての縦球面収差および他の種類の光学収差のチャートである。
【図２０】本開示の第５の実施形態の光学撮像レンズの各レンズ素子についての光学データの表である。
【図２１】本開示に係る光学撮像レンズの第５の実施形態についての非球面データの表である。
【図２２】本開示に係る５つのレンズ素子を有する光学撮像レンズの第６の実施形態の断面図である。
【図２３】本開示に係る光学撮像レンズの第６の実施形態についての縦球面収差および他の種類の光学収差のチャートである。
【図２４】本開示の第６の実施形態の光学撮像レンズの各レンズ素子についての光学データの表である。
【図２５】本開示に係る光学撮像レンズの第６の実施形態についての非球面データの表である。
【図２６】本開示に係る５つのレンズ素子を有する光学撮像レンズの第７の実施形態の断面図である。
【図２７】本開示に係る光学撮像レンズの第７の実施形態についての縦球面収差および他の種類の光学収差のチャートである。
【図２８】本開示の第７の実施形態の光学撮像レンズの各レンズ素子についての光学データの表である。
【図２９】本開示に係る光学撮像レンズの第７の実施形態についての非球面データの表である。
【図３０】本開示に係る５つのレンズ素子を有する光学撮像レンズの第８の実施形態の断面図である。
【図３１】本開示に係る光学撮像レンズの第８の実施形態についての縦球面収差および他の種類の光学収差のチャートである。
【図３２】本開示の第８の実施形態の光学撮像レンズの各レンズ素子についての光学データの表である。
【図３３】本開示に係る光学撮像レンズの第８の実施形態についての非球面データの表である。
【図３４】８通りのすべての例示的な実施形態の、ＣＴ１、ＡＣ１２、ＣＴ２、ＡＣ２３、ＣＴ３、ＡＣ３４、ＣＴ４、ＡＣ４５、ＣＴ５、ＡＬＴ、ＡＡＧ、ＥＦＬ、ＣＴ４／ＣＴ１、ＡＬＴ／ＡＡＧ、ＥＦＬ／ＡＣ１２、ＡＡＧ／ＣＴ２、ＥＦＬ／ＣＴ２、ＣＴ４／ＣＴ３、ＡＬＴ／ＣＴ４、ＣＴ４／ＣＴ２、ＡＬＴ／（ＡＣ２３＋ＡＣ４５）、ＡＡＧ／ＣＴ５、ＣＴ２／（ＡＣ２３＋ＡＣ３４）、ＣＴ４／ＣＴ５、およびＡＣ１２／ＣＴ４の値についての表である。
【図３５】携帯機器の例示的な実施形態の構造である。
【図３６】携帯機器の他の例示的な実施形態の構造の部分拡大図である。
【発明を実施するための形態】
【００２５】
本開示およびその効果のより完全な理解のため、以下、同様の参照符号により類似の特徴を示している添付の図面を併用して、以下の説明を参照する。当業者であれば、本明細書に記載のものを含む例示的な実施形態を実現するための他の様々な変形例を把握するであろう。図面は、特定の縮尺に限定されるものではなく、また、類似の要素を表すために同様の参照符号を使用している。
本開示および添付の請求項で使用される場合の、「例示的な実施形態」「典型例の実施形態」および「本実施形態」という表現は、１つのみの実施形態を指すこともあるものの、必ずしもそうであるとは限らず、種々の例示的な実施形態は、本発明の範囲または趣旨から逸脱することなく、容易に組み合わせおよび相互入れ替えできる。また、本明細書で使用する専門用語は、単に例示的な実施形態を説明するためのものにすぎず、本発明を限定するものではない。
これに関連して、本明細書で使用される場合の「〜において（ｉｎ）」という表現は、「〜の中で（ｉｎ）」と「〜の上で（ｏｎ）」を含み得るものであり、また、「ａ」「ａｎ」および「ｔｈｅ」という表現は、単数を指す場合と複数を指す場合を含み得る。
また、本明細書で使用される場合の「〜によって（ｂｙ）」という表現は、文脈によっては、「〜から（ｆｒｏｍ）」を意味することもある。
さらに、本明細書で使用される場合の「〜場合に（ｉｆ）」という表現は、文脈によっては、「〜ときに（ｗｈｅｎ）」または「〜際に（ｕｐｏｎ）」を意味することもある。
さらに、本明細書で使用される場合の「および／または（ａｎｄ／ｏｒ）」という言葉は、関連して列挙されるアイテムのうち１つまたは複数からなるあらゆる可能な組み合わせを指すことができ、また、包含し得るものである。
【００２６】
なお、本明細書において、「正の屈折力（または負の屈折力）を有するレンズ素子」とは、そのレンズ素子が光軸近傍において正の屈折力（または負の屈折力）を有することを意味する。「レンズ素子の物体側（または像側）の面が、特定の領域に凸部（または凹部）を有する」とは、そのレンズ素子の物体側（または像側）の面が、その特定の領域において、その特定の領域に径方向に隣接する外側の領域と比較して、光軸と平行な方向に沿って、「外側に隆起している（または内側に窪んでいる）」ことを意味する。図１を例にとると、同図に示すレンズ素子は、Ｉで示す光軸に関して、径方向に対称である。レンズ素子の物体側の面は、領域Ａに凸部を有し、領域Ｂに凹部を有し、領域Ｃに別の凸部を有する。なぜなら、物体側の面は、領域Ａに径方向に隣接する外側の領域（すなわち領域Ｂ）と比較して、領域Ａで外側に隆起しており、物体側の面は、領域Ｃと比較して領域Ｂで内側に窪んでおり、物体側の面は、領域Ｅと比較して領域Ｃで外側に隆起しているからである。
本明細書において、「レンズ素子の周縁部近傍に」とは、そのレンズ素子の撮像光を通過させるための面の周縁領域の近傍、すなわち図１に示す領域Ｃに、という意味である。撮像光は、主光線Ｌｃと周辺光線Ｌｍとを含んでいる。
「光軸近傍に」とは、そのレンズ素子の撮像光を通過させるための面の光軸近傍、すなわち図１に示す領域Ａに、という意味である。さらに、レンズ素子は、該レンズ素子を光学撮像レンズ内に取り付けるための拡張部Ｅを備えることができる。理想的には、撮像光は拡張部Ｅを通過しない。本例の拡張部Ｅは単なる一例にすぎず、その構造および形状は、この特定の例に限定されない。また、留意すべきことは、図面を明瞭かつ簡潔に保つため、以下で示す例示的な実施形態におけるレンズ素子はいずれも、拡張部が省略されているということである。
【００２７】
本発明では、単焦点レンズである光学撮像レンズの例を提示する。光学撮像レンズの例示的な実施形態は、第１のレンズ素子と、第２のレンズ素子と、第３のレンズ素子と、第４のレンズ素子と、第５のレンズ素子とを備えることができ、それらのレンズ素子の各々は、屈折力を有するとともに、物体側に向いた物体側の面と、像側に向いた像側の面とを有する。
それらのレンズ素子は、光軸に沿って物体側から像側へ順に配置でき、また、レンズの例示的な実施形態は、全体として、屈折力を有するレンズ素子を該５つのみ含み得る。例示的な一実施形態において、第１のレンズ素子の物体側の面は、該第１のレンズ素子の周縁部近傍に凸部を有し、第２のレンズ素子の像側の面は、光軸近傍に凸部を有し、第３のレンズ素子の物体側の面は、光軸近傍に凹部を有し、第４のレンズ素子の物体側の面は、光軸近傍に凸部を有し、第４のレンズ素子の像側の面は、光軸近傍に凸部を有し、第５のレンズ素子は、プラスチック材料で構成されて、その像側の面は、光軸近傍に凹部を有する。光軸に沿った第１のレンズ素子の中心厚をＣＴ１とし、光軸に沿った第４のレンズ素子の中心厚をＣＴ４として、ＣＴ１とＣＴ４とは、式、
１．４０≦ＣＴ４／ＣＴ１                        式（１）
を満たしている。
【００２８】
レンズ素子は、光学特性および光学撮像レンズの長さを考慮して設計されることが好ましい。例えば、第１のレンズ素子が、該第１のレンズ素子の周縁部近傍に凸部を備えて形成されることで集光を助けることができ、これと、第１と第２のレンズ素子間に配置される開口絞りとの組み合わせにより、ＨＦＯＶを拡大できるとともに、像品質を向上させることができる。
また、第１のレンズ素子の周縁部近傍においてその物体側の面に形成された凸部、第２のレンズ素子の像側の面において光軸近傍に形成された凸部、第３のレンズ素子の物体側の面において光軸近傍に形成された凹部、第４のレンズ素子の物体側および像側の面において光軸近傍に形成された凸部、および／または第５のレンズ素子の像側の面において光軸近傍に形成された凹部など、本明細書で記載するレンズ素子面の形状の細目によって、光学撮像レンズの収差をさらに調整できる。プラスチック材料で構成された第５のレンズ素子により、光学撮像レンズの重量ならびにコストを削減できる。ここで、パラメータＣＴ１とＣＴ４で式（１）が設計され、これは、第４のレンズ素子の厚さが、その物体側および像側の面の光軸近傍で凸状であることによって、短縮される可能性が第１のレンズ素子の厚さよりも少ないことを表している。よって、ＣＴ４／ＣＴ１の値が１．４０以上となるように、好ましくは１．４０〜２．５０の範囲内となるように制御することで、光学撮像レンズの長さを効果的に短縮できる。上記の細目によって、光学撮像レンズの像品質を向上させることができる。
【００２９】
別の例示的な実施形態では、パラメータ間の比に関するものなど、パラメータのいくつかの式について考慮できる。例えば、光軸に沿った５つのレンズ素子すべての厚さの和ＡＬＴと、光軸に沿った第１のレンズ素子から第５のレンズ素子までのすべての４つの空隙の和ＡＡＧとを、次のような式を満たすように制御できる。
１．９０≦ＡＬＴ／ＡＡＧ                        式（２）；または
【００３０】
第１のレンズ素子と第２のレンズ素子との間の光軸に沿った空隙ＡＣ１２と、光学撮像レンズの有効焦点距離ＥＦＬとを、次のような式を満たすように制御できる。
ＥＦＬ／ＡＣ１２≦３８．００                    式（３）；または
【００３１】
ＡＡＧと、光軸に沿った第２のレンズ素子の中心厚ＣＴ２とを、次のような式を満たすように制御できる。
ＡＡＧ／ＣＴ２≦２．８０                        式（４）；または
【００３２】
ＣＴ２とＥＦＬとを、次のような式を満たすように制御できる。
ＥＦＬ／ＣＴ２≦７．００                        式（５）；または
【００３３】
ＣＴ４と、光軸に沿った第３のレンズ素子の中心厚ＣＴ３とを、次のような式を満たすように制御できる。
２．８０≦ＣＴ４／ＣＴ３                        式（６）；または
【００３４】
ＣＴ４とＡＬＴとを、次のような式を満たすように制御できる。
２．７０≦ＡＬＴ／ＣＴ４                        式（７）；または
【００３５】
ＣＴ２とＣＴ４とを、次のような式を満たすように制御できる。
ＣＴ４／ＣＴ２≦２．３０                        式（８）；または
【００３６】
ＡＬＴと、第２のレンズ素子と第３のレンズ素子との間の光軸に沿った空隙ＡＣ２３と、第４のレンズ素子と第５のレンズ素子との間の光軸に沿った空隙ＡＣ４５とを、次のような式を満たすように制御できる。
３．４０≦ＡＬＴ／（ＡＣ２３＋ＡＣ４５）        式（９）；または
【００３７】
ＡＡＧと、光軸に沿った第５のレンズ素子の中心厚ＣＴ５とを、次のような式を満たすように制御できる。
ＡＡＧ／ＣＴ５≦３．８０                        式（１０）；または
【００３８】
ＣＴ２と、ＡＣ２３と、第３のレンズ素子と第４のレンズ素子との間の光軸に沿った空隙ＡＣ３４とを、次のような式を満たすように制御できる。
１．３０≦ＣＴ２／（ＡＣ２３＋ＡＣ３４）        式（１１）；または
【００３９】
ＣＴ４とＣＴ５とを、次のような式を満たすように制御できる。
ＣＴ４／ＣＴ５≦３．３０                        式（１２）；または
【００４０】
ＣＴ４とＡＣ１２とを、次のような式を満たすように制御できる。
０．３０≦ＡＣ１２／ＣＴ４                      式（１３）
【００４１】
前述の例示的な実施形態は、限定されるものではなく、本明細書に記載の他の実施形態に選択的に組み込むことができる。
【００４２】
ここで、式（２）を参照する。第４のレンズ素子の両面が光軸近傍において凸状であることを考慮すると、これにより、第４のレンズ素子周りの空隙幅は限定的に制限されて、ＡＡＧの値は、ＡＬＴの値と比較して相対的に小さい値とされ、この場合、ＡＬＴ／ＡＡＧの値は、式（２）を満たすように下限値として１．９０などが推奨され、好ましくは、１．９０〜６．７０の範囲内であることが推奨される。
【００４３】
次に、式（３）を参照する。ＥＦＬを短縮することはＨＦＯＶを拡大する助けとなり得ることと、ＡＣ１２の値によって第１と第２のレンズ素子間にある程度の距離が維持される必要があることを考慮すると、この場合、ＥＦＬ／ＡＣ１２は、式（３）を満たすように上限値として３８．００などが推奨され、好ましくは、４．３０〜３８．００の範囲内であることが推奨される。
【００４４】
次に、式（４）を参照する。前述のように、第４のレンズ素子の両面が光軸近傍において凸状であることによって、ＡＡＧの値ならびに光学撮像レンズの長さを短縮するように第４のレンズ素子周りの空隙幅は限定的に制限され、このため、ＡＡＧ／ＣＴ２の値は、式（４）を満たすように上限値として２．８０などが推奨され、好ましくは、０．７０〜２．８０の範囲内であることが推奨される。
【００４５】
次に、式（５）を参照する。ＥＦＬを短縮することはＨＦＯＶを拡大する助けとなり得ることを考慮すると、この場合、ＥＦＬ／ＣＴ２の値は、式（５）を満たすように上限値として７．００などが推奨され、好ましくは、下限値によって３．００〜７．００の範囲内などに制限されることが推奨される。
【００４６】
次に、式（６）を参照する。第４のレンズ素子の両面が光軸近傍において凸状であることと、第４のレンズ素子において撮像光が通過する有効半径が第３のレンズ素子のそれよりも大きいことを考慮すると、これらの両方によって、第４のレンズ素子の厚さの短縮は限定的に制限され、この場合、ＣＴ４／ＣＴ３の値は、２．８０などの下限値によって制限されることが推奨され、好ましくは、２．８０〜４．２０の範囲内であることが推奨される。
【００４７】
次に、式（７）を参照する。この式は、比較的大きな値を持つパラメータであるＡＬＴとＣＴ４で構成されている。一方、光学撮像レンズにおいて、第２と第５のレンズ素子の厚さは、光学撮像レンズの撮像品質を維持するためには、ある程度の値である必要がある。光学特性および製造難易度を考慮すると、この場合、各レンズ素子の厚さを適切に設定するためには、ＡＬＴ／ＣＴ４の値は、式（７）を満たすように２．７０以上であることが推奨され、好ましくは、２．７０〜３．５０の範囲内であることが推奨される。
【００４８】
次に、式（８）を参照する。光学特性および製造難易度を考慮すると、第４のレンズ素子の厚さの短縮は、第２のレンズ素子の厚さと比較して可能性が大きい。よって、この場合、ＣＴ４／ＣＴ２の値は、式（８）を満たすように上限値として２．３０などが推奨され、好ましくは、１．００〜２．３０の範囲内であることが推奨される。
【００４９】
次に、式（９）を参照する。第２と第４のレンズ素子の像側の面において光軸近傍に凸部を形成することで、ＡＣ２３、ＡＣ４５の値とともに光学撮像レンズの長さが縮小され得ることを考慮すると、この場合、ＡＬＴ／（ＡＣ２３＋ＡＣ４５）の値は、式（９）を満たすように下限値として３．４０などが推奨され、好ましくは、３．４０〜１５．００の範囲内であることが推奨される。
【００５０】
次に、式（１０）を参照する。ＡＡＧを短縮することによって光学撮像レンズの長さの短縮が進み得ることと、第５のレンズ素子において撮像光が通過する有効半径が比較的大きいことによってＣＴ５の短縮が制限されることを考慮すると、この場合、ＡＡＧ／ＣＴ５の値は、式（１０）を満たすように上限値として３．８０などが推奨され、好ましくは、１．００〜３．８０の範囲内であることが推奨される。
【００５１】
次に、式（１１）を参照する。第２のレンズ素子の像側の面および第４のレンズ素子の物体側の面において光軸近傍に凸部が形成されていることにより、ＡＣ２３およびＡＣ３４の値を短縮することは、ＣＴ２の短縮よりも可能性が大きいことを考慮すると、この場合、ＣＴ２／（ＡＣ２３＋ＡＣ３４）の値は、式（１１）を満たすように下限値として１．３０などが推奨され、好ましくは、１．３０〜３．５０の範囲内であることが推奨される。
【００５２】
次に、式（１２）を参照する。光学特性および製造難易度を考慮すると、より大きな厚さが必要とされる第５のレンズ素子の厚さの短縮は、第４のレンズ素子の厚さと比較して可能性が少ない。よって、この場合、ＣＴ４／ＣＴ５の値は、式（１２）を満たすように上限値として３．３０などが推奨され、好ましくは、１．３０〜３．３０の範囲内であることが推奨される。
【００５３】
次に、式（１３）を参照する。第２のレンズ素子に入射するときの撮像光のレベルを高めるために、ＡＣ１２の値によって第１と第２のレンズ素子間にある程度の距離が確保される必要があることを考慮すると、この場合、ＡＣ１２／ＣＴ４の値は、式（１３）を満たすように下限値として０．３０などが推奨され、好ましくは、０．３０〜０．８０の範囲内であることが推奨される。
【００５４】
例示的な実施形態を実施する際には、系の性能および／または解像度の制御を強化するため、凸面もしくは凹面、屈折力、および／または開口絞りの位置についてのさらなる詳細を、１つの特定のレンズ素子に、または広く複数のレンズ素子に、組み込むことができる。例えば、開口絞りを第１と第２のレンズ素子間に配置することなどが可能である。なお、本明細書で記載される詳細は、いかなる矛盾も生じない限りにおいて、例示的な実施形態に組み込むことができるということに留意すべきである。
【００５５】
良好な光学特性を有するとともに長さが短縮された光学撮像レンズの例示的な実施形態について説明するため、以下、いくつかの典型例となる実施形態ならびに関連する光学データを提示する。ここで、図２〜５を参照する。
図２は、第１の例示的な実施形態による光学撮像レンズの、５つのレンズ素子を有する光学撮像レンズ１の例示的な断面図を示している。
図３は、例示的な一実施形態による光学撮像レンズ１の縦球面収差および他の種類の光学収差の例示的なチャートを示している。
図４は、例示的な一実施形態による光学撮像レンズ１の各レンズ素子についての光学データの例示的な表を示している。
図５は、例示的な一実施形態による光学撮像レンズ１についての非球面データの例示的な表を示している。
【００５６】
図２に示すように、本実施形態の光学撮像レンズ１は、光軸に沿って物体側Ａ１から像側Ａ２へ順に、第１のレンズ素子１１０と、開口絞り１００と、第２のレンズ素子１２０と、第３のレンズ素子１３０と、第４のレンズ素子１４０と、第５のレンズ素子１５０と、を備える。光学レンズ１の像側Ａ２に、フィルタリングユニット１６０、および撮像センサの像面１７０が配置される。第１、第２、第３、第４、第５のレンズ素子１１０、１２０、１３０、１４０、１５０、およびフィルタリングユニット１６０のそれぞれは、物体側Ａ１に向いた物体側の面１１１／１２１／１３１／１４１／１５１／１６１と、像側Ａ２に向いた像側の面１１２／１２２／１３２／１４２／１５２／１６２と、を有する。
図示のフィルタリングユニット１６０の例示的な実施形態は、第５のレンズ素子１５０と像面１７０との間に配置されるＩＲカットフィルタ（赤外線カットフィルタ）である。フィルタリングユニット１６０は、光学撮像レンズ１を通過する光から特定の波長の光を選択的に吸収する。例えば、赤外光が吸収され、これによって、人間の目に見えない赤外光により像面１７０に像が形成されることを防いでいる。
【００５７】
留意すべきことは、光学撮像レンズ１の通常動作において、第１、第２、第３、第４、第５のレンズ素子１１０、１２０、１３０、１４０、１５０のうちの隣接する２つのレンズ素子間の距離は、いずれも不変値であるということであり、すなわち、光学撮像レンズ１は、単焦点レンズである。
【００５８】
以下、プラスチック材料で構成できる光学撮像レンズ１の各レンズ素子の例示的な実施形態について、図面を参照して説明する。
【００５９】
第１のレンズ素子１１０の例示的な実施形態は、正の屈折力を有する。物体側の面１１１は、該第１のレンズ素子１１０の周縁部近傍に凸部１１１１を有する凸面である。像側の面１１２は、凹面である。
【００６０】
第２のレンズ素子１２０の例示的な実施形態は、正の屈折力を有する。物体側の面１２１は、光軸近傍に凸部１２１１を有するとともに、該第２のレンズ素子１２０の周縁部近傍に凹部１２１２を有する。像側の面１２２は、光軸近傍に凸部１２２１を有する凸面である。
【００６１】
第３のレンズ素子１３０の例示的な実施形態は、負の屈折力を有する。物体側の面１３１は、光軸近傍に凹部１３１１を有する凹面である。像側の面１３２は、凸面である。
【００６２】
第４のレンズ素子１４０の例示的な実施形態は、正の屈折力を有する。物体側の面１４１は、光軸近傍に凸部１４１１を有するとともに、該第４のレンズ素子１４０の周縁部近傍に凹部１４１２を有する。像側の面１４２は、光軸近傍に凸部１４２１を有する凸面である。
【００６３】
第５のレンズ素子１５０の例示的な実施形態は、負の屈折力を有する。物体側の面１５１は、光軸近傍に凸部１５１１を有するとともに、該第５のレンズ素子１５０の周縁部近傍に凹部１５１２を有する。像側の面１５２は、光軸近傍に凹部１５２１を有するとともに、該第５のレンズ素子１５０の周縁部近傍に凸部１５２２を有する。
【００６４】
例示的な実施形態では、レンズ素子１１０、１２０、１３０、１４０、１５０と、フィルタリングユニット１６０と、撮像センサの像面１７０との間に、空隙が存在する。例えば、図２では、第１のレンズ素子１１０と第２のレンズ素子１２０との間に存在する空隙ｄ１と、第２のレンズ素子１２０と第３のレンズ素子１３０との間に存在する空隙ｄ２と、第３のレンズ素子１３０と第４のレンズ素子１４０との間に存在する空隙ｄ３と、第４のレンズ素子１４０と第５のレンズ素子１５０との間に存在する空隙ｄ４と、第５のレンズ素子１５０とフィルタリングユニット１６０との間に存在する空隙ｄ５と、フィルタリングユニット１６０と撮像センサの像面１７０との間に存在する空隙ｄ６と、を示している。しかしながら、他の実施形態では、上記の空隙のいずれかは、存在しても存在しなくてもよい。例えば、いずれか２つの隣接するレンズ素子の対向する面の形状は、相互に対応している場合があり、そのような状況では、空隙は存在しないことがある。空隙ｄ１をＡＣ１２で表し、空隙ｄ２をＡＣ２３で表し、空隙ｄ３をＡＣ３４で表し、空隙ｄ４をＡＣ４５で表し、ｄ１、ｄ２、ｄ３、ｄ４の和をＡＡＧで表す。
【００６５】
図４は、本実施形態の光学撮像レンズ１の各レンズ素子の光学特性を示しており、この場合、ＣＴ１、ＡＣ１２、ＣＴ２、ＡＣ２３、ＣＴ３、ＡＣ３４、ＣＴ４、ＡＣ４５、ＣＴ５、ＡＬＴ、ＡＡＧ、ＥＦＬ、ＣＴ４／ＣＴ１、ＡＬＴ／ＡＡＧ、ＥＦＬ／ＡＣ１２、ＡＡＧ／ＣＴ２、ＥＦＬ／ＣＴ２、ＣＴ４／ＣＴ３、ＡＬＴ／ＣＴ４、ＣＴ４／ＣＴ２、ＡＬＴ／（ＡＣ２３＋ＡＣ４５）、ＡＡＧ／ＣＴ５、ＣＴ２／（ＡＣ２３＋ＡＣ３４）、ＣＴ４／ＣＴ５、ＡＣ１２／ＣＴ４の値は、次の通りである。
ＣＴ１＝０．４０９（ｍｍ）；
ＡＣ１２＝０．２５１（ｍｍ）；
ＣＴ２＝０．５８７（ｍｍ）；
ＡＣ２３＝０．１８７（ｍｍ）；
ＣＴ３＝０．２２０（ｍｍ）；
ＡＣ３４＝０．０５（ｍｍ）；
ＣＴ４＝０．６９３（ｍｍ）；
ＡＣ４５＝０．０５（ｍｍ）；
ＣＴ５＝０．３２１（ｍｍ）；
ＡＬＴ＝２．２３（ｍｍ）；
ＡＡＧ＝０．５３８（ｍｍ）；
ＥＦＬ＝２．００９（ｍｍ）；
ＣＴ４／ＣＴ１＝１．６９４；
ＡＬＴ／ＡＡＧ＝４．１４５；
ＥＦＬ／ＡＣ１２＝８．００４；
ＡＡＧ／ＣＴ２＝０．９１７；
ＥＦＬ／ＣＴ２＝３．４２２；
ＣＴ４／ＣＴ３＝３．１５０；
ＡＬＴ／ＣＴ４＝３．２１８；
ＣＴ４／ＣＴ２＝１．１８１；
ＡＬＴ／（ＡＣ２３＋ＡＣ４５）＝９．４０９；
ＡＡＧ／ＣＴ５＝１．６７６；
ＣＴ２／（ＡＣ２３＋ＡＣ３４）＝２．４７７；
ＣＴ４／ＣＴ５＝２．１５９；
ＡＣ１２／ＣＴ４＝０．３６２
【００６６】
第１のレンズ素子１１０の物体側の面１１１から像面１７０までの光軸に沿った距離は３．８０６ｍｍであり、光学撮像レンズ１の長さが短縮されている。
【００６７】
注目されることは、光学撮像レンズ１のＨＦＯＶが４７．９０１度に達すると同時に、一方で、その長さが僅か３．８０６ｍｍにまで短縮されているということである。従って、光学撮像レンズ１は、小型化された携帯機器用として、優れた撮像品質を提供可能である。
【００６８】
第１のレンズ素子１１０の物体側の面１１１および像側の面１１２と、第２のレンズ素子１２０の物体側の面１２１および像側の面１２２と、第３のレンズ素子１３０の物体側の面１３１および像側の面１３２と、第４のレンズ素子１４０の物体側の面１４１および像側の面１４２と、第５のレンズ素子１５０の物体側の面１５１および像側の面１５２と、を含む非球面はすべて、以下の非球面式で定義される。
0005951722.tif 000002
ここで、
Ｒは、レンズ素子面の曲率半径を表す。
Ｚは、非球面の深さ（光軸から距離Ｙにある非球面上の点と、非球面の光軸上の頂点における接平面と、の間の垂直距離）を表す。
Ｙは、非球面上の点と光軸との間の垂直距離を表す。
Ｋは、円錐定数を表す。
ａ２ｉは、２ｉ次の非球面係数を表す。
【００６９】
各非球面パラメータの値を、図５に示している。
【００７０】
図３に示すように、いくつかの異なる波長についての縦球面収差（ａ）の曲線は、相互に近接している。これは、これらの波長に関する軸外光が像点の周りに収束することを表している。図中に示す各曲線の垂直偏差によると、像点に対する軸外光のオフセットは、±０．０３ｍｍの範囲内にある。よって、本実施形態は、様々な波長に関して縦球面収差を改善している。
【００７１】
サジタル方向の非点収差（ｂ）、およびタンジェンシャル方向の非点収差（ｃ）について、図３を参照する。３つの波長に関する焦点の変動は全視野で±０．１０ｍｍの範囲内にある。これは、本実施形態の光学撮像レンズ１が収差を効果的に除去していることを反映している。また、近接した曲線は、分散が改善されていることを表している。
【００７２】
歪曲収差（ｄ）について、図３を参照すると、歪曲収差の変動が±２％の範囲内であることを示している。このような歪曲収差は、許容される像品質の要件を満たすものであり、また、光学撮像レンズ１の長さを３．８０６ｍｍまで短縮したとしても、本実施形態の光学撮像レンズ１が像品質を高めるように歪曲収差を制限できることを示している。
【００７３】
よって、本実施形態の光学撮像レンズ１は、縦球面収差、サジタル方向の非点収差、タンジェンシャル方向の非点収差、および歪曲収差において、優れた特性を示すものである。例示的な実施形態の光学撮像レンズ１は、上記の実例によれば、実際に優れた光学性能を実現し、また、光学撮像レンズ１の長さは効果的に短縮されている。
【００７４】
次に、図６〜９を参照する。図６は、第２の例示的な実施形態による光学撮像レンズの、５つのレンズ素子を有する光学撮像レンズ２の例示的な断面図を示している。
図７は、第２の例示的な実施形態による光学撮像レンズ２の縦球面収差および他の種類の光学収差の例示的なチャートを示している。
図８は、第２の例示的な実施形態による光学撮像レンズ２の各レンズ素子についての光学データの例示的な表を示している。
図９は、第２の例示的な実施形態による光学撮像レンズ２についての非球面データの例示的な表を示している。
本実施形態において表示される参照符号は、第１の実施形態における類似の要素のものと同様であるが、ただし本実施形態では、参照符号は２で始まり、例えば、参照符号２３１によって第３のレンズ素子２３０の物体側の面を示し、参照符号２３２によって第３のレンズ素子２３０の像側の面を示すなどする。
【００７５】
図６に示すように、本実施形態の光学撮像レンズ２は、光軸に沿って物体側Ａ１から像側Ａ２へ順に、第１のレンズ素子２１０と、開口絞り２００と、第２のレンズ素子２２０と、第３のレンズ素子２３０と、第４のレンズ素子２４０と、第５のレンズ素子２５０と、を備える。
【００７６】
第２の実施形態と第１の実施形態との違いは、各レンズ素子の曲率半径および厚さと、各空隙の距離にあり、一方、第１、第２、第３、第４、第５のレンズ素子２１０、２２０、２３０、２４０、２５０の正／負の屈折力の構成、および物体側Ａ１に向いた物体側の面２１１、２２１、２３１、２４１、２５１と、像側Ａ２に向いた像側の面２１２、２２２、２３２、２４２、２５２とを含む面の凹／凸形状の構成は、第１の実施形態のものと同様である。
本実施形態の光学撮像レンズ２の各レンズ素子の光学特性について、図８を参照すると、ＣＴ１、ＡＣ１２、ＣＴ２、ＡＣ２３、ＣＴ３、ＡＣ３４、ＣＴ４、ＡＣ４５、ＣＴ５、ＡＬＴ、ＡＡＧ、ＥＦＬ、ＣＴ４／ＣＴ１、ＡＬＴ／ＡＡＧ、ＥＦＬ／ＡＣ１２、ＡＡＧ／ＣＴ２、ＥＦＬ／ＣＴ２、ＣＴ４／ＣＴ３、ＡＬＴ／ＣＴ４、ＣＴ４／ＣＴ２、ＡＬＴ／（ＡＣ２３＋ＡＣ４５）、ＡＡＧ／ＣＴ５、ＣＴ２／（ＡＣ２３＋ＡＣ３４）、ＣＴ４／ＣＴ５、ＡＣ１２／ＣＴ４の値は、次の通りである。
ＣＴ１＝０．４４（ｍｍ）；
ＡＣ１２＝０．３０４（ｍｍ）；
ＣＴ２＝０．６０６（ｍｍ）；
ＡＣ２３＝０．１１５（ｍｍ）；
ＣＴ３＝０．２３６（ｍｍ）；
ＡＣ３４＝０．０６５（ｍｍ）；
ＣＴ４＝０．７４（ｍｍ）；
ＡＣ４５＝０．０５１（ｍｍ）；
ＣＴ５＝０．３７（ｍｍ）；
ＡＬＴ＝２．３９２（ｍｍ）；
ＡＡＧ＝０．５３５（ｍｍ）；
ＥＦＬ＝１．９７５（ｍｍ）；
ＣＴ４／ＣＴ１＝１．６８２；
ＡＬＴ／ＡＡＧ＝４．４７１；
ＥＦＬ／ＡＣ１２＝６．４９７；
ＡＡＧ／ＣＴ２＝０．８８３；
ＥＦＬ／ＣＴ２＝３．２５９；
ＣＴ４／ＣＴ３＝３．１３６；
ＡＬＴ／ＣＴ４＝３．２３２；
ＣＴ４／ＣＴ２＝１．２２１；
ＡＬＴ／（ＡＣ２３＋ＡＣ４５）＝１４．４１０；
ＡＡＧ／ＣＴ５＝１．４４６；
ＣＴ２／（ＡＣ２３＋ＡＣ３４）＝３．３６７；
ＣＴ４／ＣＴ５＝２．０００；
ＡＣ１２／ＣＴ４＝０．４１１
【００７７】
第１のレンズ素子２１０の物体側の面２１１から像面２７０までの光軸に沿った距離は３．９５６ｍｍであり、光学撮像レンズ２の長さが短縮されている。
【００７８】
注目されることは、光学撮像レンズ２のＨＦＯＶが４７．８６３度に達すると同時に、一方で、その長さが僅か３．９５６ｍｍにまで短縮されているということである。従って、光学撮像レンズ２は、小型化された携帯機器用として、優れた撮像品質を提供可能である。
【００７９】
図７に示すように、本実施形態の光学撮像レンズ２は、縦球面収差（ａ）、サジタル方向の非点収差（ｂ）、タンジェンシャル方向の非点収差（ｃ）、および歪曲収差（ｄ）において、優れた特性を示す。従って、本実施形態の光学撮像レンズは、上記の実例によれば、実際に優れた光学性能を示し、また、光学撮像レンズ２の長さは効果的に短縮されている。
【００８０】
次に、図１０〜１３を参照する。
図１０は、第３の例示的な実施形態による光学撮像レンズの、５つのレンズ素子を有する光学撮像レンズ３の例示的な断面図を示している。
図１１は、第３の例示的な実施形態による光学撮像レンズ３の縦球面収差および他の種類の光学収差の例示的なチャートを示している。
図１２は、第３の例示的な実施形態による光学撮像レンズ３の各レンズ素子についての光学データの例示的な表を示している。
図１３は、第３の例示的な実施形態による光学撮像レンズ３についての非球面データの例示的な表を示している。
本実施形態において表示される参照符号は、第１の実施形態における類似の要素のものと同様であるが、ただし本実施形態では、参照符号は３で始まり、例えば、参照符号３３１によって第３のレンズ素子３３０の物体側の面を示し、参照符号３３２によって第３のレンズ素子３３０の像側の面を示すなどする。
【００８１】
図１０に示すように、本実施形態の光学撮像レンズ３は、光軸に沿って物体側Ａ１から像側Ａ２へ順に、第１のレンズ素子３１０と、開口絞り３００と、第２のレンズ素子３２０と、第３のレンズ素子３３０と、第４のレンズ素子３４０と、第５のレンズ素子３５０と、を備える。
【００８２】
第３の実施形態と第１の実施形態との違いは、各レンズ素子の曲率半径および厚さ、各空隙の距離、像側の面３１２の表面形状にあり、一方、第１、第２、第３、第４、第５のレンズ素子３１０、３２０、３３０、３４０、３５０の正／負の屈折力の構成、および物体側Ａ１に向いた物体側の面３１１、３２１、３３１、３４１、３５１と、像側Ａ２に向いた像側の面３２２、３３２、３４２、３５２とを含む面の凹／凸形状の構成は、第１の実施形態のものと同様である。具体的には、第１のレンズ素子３１０の像側の面３１２は、光軸近傍に凹部３１２１を有するとともに、該第１のレンズ素子３１０の周縁部近傍に凸部３１２２を有する。
本実施形態の光学撮像レンズ３の各レンズ素子の光学特性について、図１２を参照すると、この場合、ＣＴ１、ＡＣ１２、ＣＴ２、ＡＣ２３、ＣＴ３、ＡＣ３４、ＣＴ４、ＡＣ４５、ＣＴ５、ＡＬＴ、ＡＡＧ、ＥＦＬ、ＣＴ４／ＣＴ１、ＡＬＴ／ＡＡＧ、ＥＦＬ／ＡＣ１２、ＡＡＧ／ＣＴ２、ＥＦＬ／ＣＴ２、ＣＴ４／ＣＴ３、ＡＬＴ／ＣＴ４、ＣＴ４／ＣＴ２、ＡＬＴ／（ＡＣ２３＋ＡＣ４５）、ＡＡＧ／ＣＴ５、ＣＴ２／（ＡＣ２３＋ＡＣ３４）、ＣＴ４／ＣＴ５、ＡＣ１２／ＣＴ４の値は、次の通りである。
ＣＴ１＝０．３７４（ｍｍ）；
ＡＣ１２＝０．４３９（ｍｍ）；
ＣＴ２＝０．５３５（ｍｍ）；
ＡＣ２３＝０．１９９（ｍｍ）；
ＣＴ３＝０．２２（ｍｍ）；
ＡＣ３４＝０．０５（ｍｍ）；
ＣＴ４＝０．６５２（ｍｍ）；
ＡＣ４５＝０．０６３（ｍｍ）；
ＣＴ５＝０．２８７（ｍｍ）；
ＡＬＴ＝２．０６８（ｍｍ）；
ＡＡＧ＝０．７５１（ｍｍ）；
ＥＦＬ＝２．０８８（ｍｍ）；
ＣＴ４／ＣＴ１＝１．７４３；
ＡＬＴ／ＡＡＧ＝２．７５４；
ＥＦＬ／ＡＣ１２＝４．７５６；
ＡＡＧ／ＣＴ２＝１．４０４；
ＥＦＬ／ＣＴ２＝３．９０３；
ＣＴ４／ＣＴ３＝２．９６４；
ＡＬＴ／ＣＴ４＝３．１７２；
ＣＴ４／ＣＴ２＝１．２１９；
ＡＬＴ／（ＡＣ２３＋ＡＣ４５）＝７．８９３；
ＡＡＧ／ＣＴ５＝２．６１７；
ＣＴ２／（ＡＣ２３＋ＡＣ３４）＝２．１４９；
ＣＴ４／ＣＴ５＝２．２７２；
ＡＣ１２／ＣＴ４＝０．６７３
【００８３】
第１のレンズ素子３１０の物体側の面３１１から像面３７０までの光軸に沿った距離は３．９１０ｍｍであり、光学撮像レンズ３の長さが短縮されている。
【００８４】
注目されることは、光学撮像レンズ３のＨＦＯＶが４６．７４６度に達すると同時に、一方で、その長さが僅か３．９１０ｍｍにまで短縮されているということである。従って、光学撮像レンズ３は、小型化された携帯機器用として、優れた撮像品質を提供可能である。
【００８５】
図１１に示すように、本実施形態の光学撮像レンズ３は、縦球面収差（ａ）、サジタル方向の非点収差（ｂ）、タンジェンシャル方向の非点収差（ｃ）、および歪曲収差（ｄ）において、優れた特性を示す。従って、本実施形態の光学撮像レンズは、上記の実例によれば、実際に優れた光学性能を示し、また、光学撮像レンズ３の長さは効果的に短縮されている。
【００８６】
次に、図１４〜１７を参照する。
図１４は、第４の例示的な実施形態による光学撮像レンズの、５つのレンズ素子を有する光学撮像レンズ４の例示的な断面図を示している。
図１５は、第４の実施形態による光学撮像レンズ４の縦球面収差および他の種類の光学収差の例示的なチャートを示している。
図１６は、第４の例示的な実施形態による光学撮像レンズ４の各レンズ素子についての光学データの例示的な表を示している。
図１７は、第４の例示的な実施形態による光学撮像レンズ４についての非球面データの例示的な表を示している。本実施形態において表示される参照符号は、第１の実施形態における類似の要素のものと同様であるが、ただし本実施形態では、参照符号は４で始まり、例えば、参照符号４３１によって第３のレンズ素子４３０の物体側の面を示し、参照符号４３２によって第３のレンズ素子４３０の像側の面を示すなどする。
【００８７】
図１４に示すように、本実施形態の光学撮像レンズ４は、光軸に沿って物体側Ａ１から像側Ａ２へ順に、第１のレンズ素子４１０と、開口絞り４００と、第２のレンズ素子４２０と、第３のレンズ素子４３０と、第４のレンズ素子４４０と、第５のレンズ素子４５０と、を備える。
【００８８】
第４の実施形態と第１の実施形態との違いは、各レンズ素子の曲率半径および厚さと、各空隙の距離にあり、一方、第１、第２、第３、第４、第５のレンズ素子４１０、４２０、４３０、４４０、４５０の正／負の屈折力の構成、および物体側Ａ１に向いた物体側の面４１１、４２１、４３１、４４１、４５１と、像側Ａ２に向いた像側の面４１２、４２２、４３２、４４２、４５２とを含む面の凹／凸形状の構成は、第１の実施形態のものと同様である。
本実施形態の光学撮像レンズ４の各レンズ素子の光学特性について、図１６を参照すると、この場合、ＣＴ１、ＡＣ１２、ＣＴ２、ＡＣ２３、ＣＴ３、ＡＣ３４、ＣＴ４、ＡＣ４５、ＣＴ５、ＡＬＴ、ＡＡＧ、ＥＦＬ、ＣＴ４／ＣＴ１、ＡＬＴ／ＡＡＧ、ＥＦＬ／ＡＣ１２、ＡＡＧ／ＣＴ２、ＥＦＬ／ＣＴ２、ＣＴ４／ＣＴ３、ＡＬＴ／ＣＴ４、ＣＴ４／ＣＴ２、ＡＬＴ／（ＡＣ２３＋ＡＣ４５）、ＡＡＧ／ＣＴ５、ＣＴ２／（ＡＣ２３＋ＡＣ３４）、ＣＴ４／ＣＴ５、ＡＣ１２／ＣＴ４の値は、次の通りである。
ＣＴ１＝０．３０５（ｍｍ）；
ＡＣ１２＝０．４２４（ｍｍ）；
ＣＴ２＝０．５１７（ｍｍ）；
ＡＣ２３＝０．２９９（ｍｍ）；
ＣＴ３＝０．２２（ｍｍ）；
ＡＣ３４＝０．０５（ｍｍ）；
ＣＴ４＝０．７２４（ｍｍ）；
ＡＣ４５＝０．０５（ｍｍ）；
ＣＴ５＝０．２２（ｍｍ）；
ＡＬＴ＝１．９８６（ｍｍ）；
ＡＡＧ＝０．８２３（ｍｍ）；
ＥＦＬ＝１．８８２（ｍｍ）；
ＣＴ４／ＣＴ１＝２．３７４；
ＡＬＴ／ＡＡＧ＝２．４１３；
ＥＦＬ／ＡＣ１２＝４．４３９；
ＡＡＧ／ＣＴ２＝１．５９２；
ＥＦＬ／ＣＴ２＝３．６４０；
ＣＴ４／ＣＴ３＝３．２９１；
ＡＬＴ／ＣＴ４＝２．７４３；
ＣＴ４／ＣＴ２＝１．４００；
ＡＬＴ／（ＡＣ２３＋ＡＣ４５）＝５．６９１；
ＡＡＧ／ＣＴ５＝３．７４１；
ＣＴ２／（ＡＣ２３＋ＡＣ３４）＝１．４８１；
ＣＴ４／ＣＴ５＝３．２９１；
ＡＣ１２／ＣＴ４＝０．５８６
【００８９】
第１のレンズ素子４１０の物体側の面４１１から像面４７０までの光軸に沿った距離は３．８９９ｍｍであり、光学撮像レンズ４の長さが短縮されている。
【００９０】
注目されることは、光学撮像レンズ４のＨＦＯＶが４９．７９７度に達すると同時に、一方で、その長さが僅か３．８９９ｍｍにまで短縮されているということである。従って、光学撮像レンズ４は、小型化された携帯機器用として、優れた撮像品質を提供可能である。
【００９１】
図１５に示すように、本実施形態の光学撮像レンズ４は、縦球面収差（ａ）、サジタル方向の非点収差（ｂ）、タンジェンシャル方向の非点収差（ｃ）、および歪曲収差（ｄ）において、優れた特性を示す。従って、本実施形態の光学撮像レンズは、上記の実例によれば、実際に優れた光学性能を示し、また、光学撮像レンズ４の長さは効果的に短縮されている。
【００９２】
次に、図１８〜２１を参照する。
図１８は、第５の例示的な実施形態による光学撮像レンズの、５つのレンズ素子を有する光学撮像レンズ５の例示的な断面図を示している。
図１９は、第５の実施形態による光学撮像レンズ５の縦球面収差および他の種類の光学収差の例示的なチャートを示している。
図２０は、第５の例示的な実施形態による光学撮像レンズ５の各レンズ素子についての光学データの例示的な表を示している。
図２１は、第５の例示的な実施形態による光学撮像レンズ５についての非球面データの例示的な表を示している。
本実施形態において表示される参照符号は、第１の実施形態における類似の要素のものと同様であるが、ただし本実施形態では、参照符号は５で始まり、例えば、参照符号５３１によって第３のレンズ素子５３０の物体側の面を示し、参照符号５３２によって第３のレンズ素子５３０の像側の面を示すなどする。
【００９３】
図１８に示すように、本実施形態の光学撮像レンズ５は、光軸に沿って物体側Ａ１から像側Ａ２へ順に、第１のレンズ素子５１０と、開口絞り５００と、第２のレンズ素子５２０と、第３のレンズ素子５３０と、第４のレンズ素子５４０と、第５のレンズ素子５５０と、を備える。
【００９４】
第５の実施形態と第１の実施形態との違いは、各レンズ素子の曲率半径および厚さと、各空隙の距離にあり、一方、第１、第２、第３、第４、第５のレンズ素子５１０、５２０、５３０、５４０、５５０の正／負の屈折力の構成、および物体側Ａ１に向いた物体側の面５１１、５２１、５３１、５４１、５５１と、像側Ａ２に向いた像側の面５１２、５２２、５３２、５４２、５５２とを含む面の凹／凸形状の構成は、第１の実施形態のものと同様である。
本実施形態の光学撮像レンズ５の各レンズ素子の光学特性について、図２０を参照すると、この場合、ＣＴ１、ＡＣ１２、ＣＴ２、ＡＣ２３、ＣＴ３、ＡＣ３４、ＣＴ４、ＡＣ４５、ＣＴ５、ＡＬＴ、ＡＡＧ、ＥＦＬ、ＣＴ４／ＣＴ１、ＡＬＴ／ＡＡＧ、ＥＦＬ／ＡＣ１２、ＡＡＧ／ＣＴ２、ＥＦＬ／ＣＴ２、ＣＴ４／ＣＴ３、ＡＬＴ／ＣＴ４、ＣＴ４／ＣＴ２、ＡＬＴ／（ＡＣ２３＋ＡＣ４５）、ＡＡＧ／ＣＴ５、ＣＴ２／（ＡＣ２３＋ＡＣ３４）、ＣＴ４／ＣＴ５、ＡＣ１２／ＣＴ４の値は、次の通りである。
ＣＴ１＝０．４２３（ｍｍ）；
ＡＣ１２＝０．０６７（ｍｍ）；
ＣＴ２＝０．６４９（ｍｍ）；
ＡＣ２３＝０．１８９（ｍｍ）；
ＣＴ３＝０．２２（ｍｍ）；
ＡＣ３４＝０．０５（ｍｍ）；
ＣＴ４＝０．７０３（ｍｍ）；
ＡＣ４５＝０．０５（ｍｍ）；
ＣＴ５＝０．３１４（ｍｍ）；
ＡＬＴ＝２．３０９（ｍｍ）；
ＡＡＧ＝０．３５６（ｍｍ）；
ＥＦＬ＝２．１０８（ｍｍ）；
ＣＴ４／ＣＴ１＝１．６６２；
ＡＬＴ／ＡＡＧ＝６．４８６；
ＥＦＬ／ＡＣ１２＝３１．４６３；
ＡＡＧ／ＣＴ２＝０．５４９；
ＥＦＬ／ＣＴ２＝３．２４８；
ＣＴ４／ＣＴ３＝３．１９５；
ＡＬＴ／ＣＴ４＝３．２８４；
ＣＴ４／ＣＴ２＝１．０８３；
ＡＬＴ／（ＡＣ２３＋ＡＣ４５）＝９．６６１；
ＡＡＧ／ＣＴ５＝１．１３４；
ＣＴ２／（ＡＣ２３＋ＡＣ３４）＝２．７１５；
ＣＴ４／ＣＴ５＝２．２３９；
ＡＣ１２／ＣＴ４＝０．０９５
【００９５】
第１のレンズ素子５１０の物体側の面５１１から像面５７０までの光軸に沿った距離は３．７００ｍｍであり、光学撮像レンズ５の長さが短縮されている。
【００９６】
注目されることは、光学撮像レンズ５のＨＦＯＶが４６．６９３度に達すると同時に、一方で、その長さが僅か３．７００ｍｍにまで短縮されているということである。従って、光学撮像レンズ５は、小型化された携帯機器用として、優れた撮像品質を提供可能である。
【００９７】
図１９に示すように、本実施形態の光学撮像レンズ５は、縦球面収差（ａ）、サジタル方向の非点収差（ｂ）、タンジェンシャル方向の非点収差（ｃ）、および歪曲収差（ｄ）において、優れた特性を示す。従って、本実施形態の光学撮像レンズは、上記の実例によれば、実際に優れた光学性能を示し、また、光学撮像レンズ５の長さは効果的に短縮されている。
【００９８】
次に、図２２〜２５を参照する。
図２２は、第６の例示的な実施形態による光学撮像レンズの、５つのレンズ素子を有する光学撮像レンズ６の例示的な断面図を示している。
図２３は、第６の実施形態による光学撮像レンズ６の縦球面収差および他の種類の光学収差の例示的なチャートを示している。
図２４は、第６の例示的な実施形態による光学撮像レンズ６の各レンズ素子についての光学データの例示的な表を示している。
図２５は、第６の例示的な実施形態による光学撮像レンズ６についての非球面データの例示的な表を示している。
本実施形態において表示される参照符号は、第１の実施形態における類似の要素のものと同様であるが、ただし本実施形態では、参照符号は６で始まり、例えば、参照符号６３１によって第３のレンズ素子６３０の物体側の面を示し、参照符号６３２によって第３のレンズ素子６３０の像側の面を示すなどする。
【００９９】
図２２に示すように、本実施形態の光学撮像レンズ６は、光軸に沿って物体側Ａ１から像側Ａ２へ順に、第１のレンズ素子６１０と、開口絞り６００と、第２のレンズ素子６２０と、第３のレンズ素子６３０と、第４のレンズ素子６４０と、第５のレンズ素子６５０と、を備える。
【０１００】
第６の実施形態と第１の実施形態との違いは、各レンズ素子の曲率半径および厚さと、各空隙の距離にあり、一方、第１、第２、第３、第４、第５のレンズ素子６１０、６２０、６３０、６４０、６５０の正／負の屈折力の構成、および物体側Ａ１に向いた物体側の面６１１、６２１、６３１、６４１、６５１と、像側Ａ２に向いた像側の面６１２、６２２、６３２、６４２、６５２とを含む面の凹／凸形状の構成は、第１の実施形態のものと同様である。
本実施形態の光学撮像レンズ６の各レンズ素子の光学特性について、図２４を参照すると、この場合、ＣＴ１、ＡＣ１２、ＣＴ２、ＡＣ２３、ＣＴ３、ＡＣ３４、ＣＴ４、ＡＣ４５、ＣＴ５、ＡＬＴ、ＡＡＧ、ＥＦＬ、ＣＴ４／ＣＴ１、ＡＬＴ／ＡＡＧ、ＥＦＬ／ＡＣ１２、ＡＡＧ／ＣＴ２、ＥＦＬ／ＣＴ２、ＣＴ４／ＣＴ３、ＡＬＴ／ＣＴ４、ＣＴ４／ＣＴ２、ＡＬＴ／（ＡＣ２３＋ＡＣ４５）、ＡＡＧ／ＣＴ５、ＣＴ２／（ＡＣ２３＋ＡＣ３４）、ＣＴ４／ＣＴ５、ＡＣ１２／ＣＴ４の値は、次の通りである。
ＣＴ１＝０．３５２（ｍｍ）；
ＡＣ１２＝０．４３３（ｍｍ）；
ＣＴ２＝０．５３４（ｍｍ）；
ＡＣ２３＝０．２１８（ｍｍ）；
ＣＴ３＝０．２２（ｍｍ）；
ＡＣ３４＝０．０５（ｍｍ）；
ＣＴ４＝０．６４１（ｍｍ）；
ＡＣ４５＝０．２９３（ｍｍ）；
ＣＴ５＝０．２１９（ｍｍ）；
ＡＬＴ＝１．９６６（ｍｍ）；
ＡＡＧ＝０．９９４（ｍｍ）；
ＥＦＬ＝１．９２７（ｍｍ）；
ＣＴ４／ＣＴ１＝１．８２１；
ＡＬＴ／ＡＡＧ＝１．９７８；
ＥＦＬ／ＡＣ１２＝４．４５０；
ＡＡＧ／ＣＴ２＝１．８６１；
ＥＦＬ／ＣＴ２＝３．６０９；
ＣＴ４／ＣＴ３＝２．９１４；
ＡＬＴ／ＣＴ４＝３．０６７；
ＣＴ４／ＣＴ２＝１．２００；
ＡＬＴ／（ＡＣ２３＋ＡＣ４５）＝３．８４７；
ＡＡＧ／ＣＴ５＝４．５３９；
ＣＴ２／（ＡＣ２３＋ＡＣ３４）＝１．９９３；
ＣＴ４／ＣＴ５＝２．９２７；
ＡＣ１２／ＣＴ４＝０．６７６
【０１０１】
第１のレンズ素子６１０の物体側の面６１１から像面６７０までの光軸に沿った距離は３．７９９ｍｍであり、光学撮像レンズ６の長さが短縮されている。
【０１０２】
注目されることは、光学撮像レンズ６のＨＦＯＶが４８．７３３度に達すると同時に、一方で、その長さが僅か３．７９９ｍｍにまで短縮されているということである。従って、光学撮像レンズ６は、小型化された携帯機器用として、優れた撮像品質を提供可能である。
【０１０３】
図２３に示すように、本実施形態の光学撮像レンズ６は、縦球面収差（ａ）、サジタル方向の非点収差（ｂ）、タンジェンシャル方向の非点収差（ｃ）、および歪曲収差（ｄ）において、優れた特性を示す。従って、本実施形態の光学撮像レンズは、上記の実例によれば、実際に優れた光学性能を示し、また、光学撮像レンズ６の長さは効果的に短縮されている。
【０１０４】
次に、図２６〜２９を参照する。
図２６は、第７の例示的な実施形態による光学撮像レンズの、５つのレンズ素子を有する光学撮像レンズ７の例示的な断面図を示している。
図２７は、第７の実施形態による光学撮像レンズ７の縦球面収差および他の種類の光学収差の例示的なチャートを示している。
図２８は、第７の例示的な実施形態による光学撮像レンズ７の各レンズ素子についての光学データの例示的な表を示している。
図２９は、第７の例示的な実施形態による光学撮像レンズ７についての非球面データの例示的な表を示している。
本実施形態において表示される参照符号は、第１の実施形態における類似の要素のものと同様であるが、ただし本実施形態では、参照符号は７で始まり、例えば、参照符号７３１によって第３のレンズ素子７３０の物体側の面を示し、参照符号７３２によって第３のレンズ素子７３０の像側の面を示すなどする。
【０１０５】
図２６に示すように、本実施形態の光学撮像レンズ７は、光軸に沿って物体側Ａ１から像側Ａ２へ順に、第１のレンズ素子７１０と、開口絞り７００と、第２のレンズ素子７２０と、第３のレンズ素子７３０と、第４のレンズ素子７４０と、第５のレンズ素子７５０と、を備える。
【０１０６】
第７の実施形態と第１の実施形態との違いは、各レンズ素子の曲率半径および厚さと、各空隙の距離にあり、一方、第１、第２、第３、第４、第５のレンズ素子７１０、７２０、７３０、７４０、７５０の正／負の屈折力の構成、および物体側Ａ１に向いた物体側の面７１１、７３１、７４１、７５１と、像側Ａ２に向いた像側の面７１２、７２２、７３２、７４２、７５２とを含む面の凹／凸形状の構成は、第１の実施形態のものと同様であり、物体側の面７２１は凹面である。
本実施形態の光学撮像レンズ７の各レンズ素子の光学特性について、図２８を参照すると、この場合、ＣＴ１、ＡＣ１２、ＣＴ２、ＡＣ２３、ＣＴ３、ＡＣ３４、ＣＴ４、ＡＣ４５、ＣＴ５、ＡＬＴ、ＡＡＧ、ＥＦＬ、ＣＴ４／ＣＴ１、ＡＬＴ／ＡＡＧ、ＥＦＬ／ＡＣ１２、ＡＡＧ／ＣＴ２、ＥＦＬ／ＣＴ２、ＣＴ４／ＣＴ３、ＡＬＴ／ＣＴ４、ＣＴ４／ＣＴ２、ＡＬＴ／（ＡＣ２３＋ＡＣ４５）、ＡＡＧ／ＣＴ５、ＣＴ２／（ＡＣ２３＋ＡＣ３４）、ＣＴ４／ＣＴ５、ＡＣ１２／ＣＴ４の値は、次の通りである。
ＣＴ１＝０．３９１（ｍｍ）；
ＡＣ１２＝０．４３２（ｍｍ）；
ＣＴ２＝０．３５（ｍｍ）；
ＡＣ２３＝０．３３２（ｍｍ）；
ＣＴ３＝０．２１８（ｍｍ）；
ＡＣ３４＝０．０５４（ｍｍ）；
ＣＴ４＝０．８５５（ｍｍ）；
ＡＣ４５＝０．１６２（ｍｍ）；
ＣＴ５＝０．２６３（ｍｍ）；
ＡＬＴ＝２．０７７（ｍｍ）；
ＡＡＧ＝０．９８（ｍｍ）；
ＥＦＬ＝２．４４８（ｍｍ）；
ＣＴ４／ＣＴ１＝２．１８７；
ＡＬＴ／ＡＡＧ＝２．１１９；
ＥＦＬ／ＡＣ１２＝５．６６７；
ＡＡＧ／ＣＴ２＝２．８００；
ＥＦＬ／ＣＴ２＝６．９９４；
ＣＴ４／ＣＴ３＝３．９２２；
ＡＬＴ／ＣＴ４＝２．４２９；
ＣＴ４／ＣＴ２＝２．４４３；
ＡＬＴ／（ＡＣ２３＋ＡＣ４５）＝４．２０４；
ＡＡＧ／ＣＴ５＝３．７２６；
ＣＴ２／（ＡＣ２３＋ＡＣ３４）＝０．９０７；
ＣＴ４／ＣＴ５＝３．２５１；
ＡＣ１２／ＣＴ４＝０．５０５
【０１０７】
第１のレンズ素子７１０の物体側の面７１１から像面７７０までの光軸に沿った距離は４．１６５ｍｍであり、光学撮像レンズ７の長さが短縮されている。
【０１０８】
注目されることは、光学撮像レンズ７のＨＦＯＶが４２．１４９度に達すると同時に、一方で、その長さが僅か４．１６５ｍｍにまで短縮されているということである。従って、光学撮像レンズ７は、小型化された携帯機器用として、優れた撮像品質を提供可能である。
【０１０９】
図２７に示すように、本実施形態の光学撮像レンズ７は、縦球面収差（ａ）、サジタル方向の非点収差（ｂ）、タンジェンシャル方向の非点収差（ｃ）、および歪曲収差（ｄ）において、優れた特性を示す。従って、本実施形態の光学撮像レンズは、上記の実例によれば、実際に優れた光学性能を示し、また、光学撮像レンズ７の長さは効果的に短縮されている。
【０１１０】
次に、図３０〜３３を参照する。
図３０は、第８の例示的な実施形態による光学撮像レンズの、５つのレンズ素子を有する光学撮像レンズ８の例示的な断面図を示している。
図３１は、第８の実施形態による光学撮像レンズ８の縦球面収差および他の種類の光学収差の例示的なチャートを示している。
図３２は、第８の例示的な実施形態による光学撮像レンズ８の各レンズ素子についての光学データの例示的な表を示している。
図３３は、第８の例示的な実施形態による光学撮像レンズ８についての非球面データの例示的な表を示している。
本実施形態において表示される参照符号は、第１の実施形態における類似の要素のものと同様であるが、ただし本実施形態では、参照符号は８で始まり、例えば、参照符号８３１によって第３のレンズ素子８３０の物体側の面を示し、参照符号８３２によって第３のレンズ素子８３０の像側の面を示すなどする。
【０１１１】
図３０に示すように、本実施形態の光学撮像レンズ８は、光軸に沿って物体側Ａ１から像側Ａ２へ順に、第１のレンズ素子８１０と、開口絞り８００と、第２のレンズ素子８２０と、第３のレンズ素子８３０と、第４のレンズ素子８４０と、第５のレンズ素子８５０と、を備える。
【０１１２】
第８の実施形態と第１の実施形態との違いは、各レンズ素子の曲率半径および厚さと、各空隙の距離にあり、一方、第１、第２、第３、第４、第５のレンズ素子８１０、８２０、８３０、８４０、８５０の正／負の屈折力の構成、および物体側Ａ１に向いた物体側の面８１１、８３１、８４１、８５１と、像側Ａ２に向いた像側の面８１２、８２２、８３２、８４２、８５２とを含む面の凹／凸形状の構成は、第１の実施形態のものと同様であり、物体側の面８２１は凹面である。
本実施形態の光学撮像レンズ８の各レンズ素子の光学特性について、図３２を参照すると、この場合、ＣＴ１、ＡＣ１２、ＣＴ２、ＡＣ２３、ＣＴ３、ＡＣ３４、ＣＴ４、ＡＣ４５、ＣＴ５、ＡＬＴ、ＡＡＧ、ＥＦＬ、ＣＴ４／ＣＴ１、ＡＬＴ／ＡＡＧ、ＥＦＬ／ＡＣ１２、ＡＡＧ／ＣＴ２、ＥＦＬ／ＣＴ２、ＣＴ４／ＣＴ３、ＡＬＴ／ＣＴ４、ＣＴ４／ＣＴ２、ＡＬＴ／（ＡＣ２３＋ＡＣ４５）、ＡＡＧ／ＣＴ５、ＣＴ２／（ＡＣ２３＋ＡＣ３４）、ＣＴ４／ＣＴ５、ＡＣ１２／ＣＴ４の値は、次の通りである。
ＣＴ１＝０．３９４（ｍｍ）；
ＡＣ１２＝０．４６２（ｍｍ）；
ＣＴ２＝０．３７８（ｍｍ）；
ＡＣ２３＝０．２９６（ｍｍ）；
ＣＴ３＝０．２１６（ｍｍ）；
ＡＣ３４＝０．１１７（ｍｍ）；
ＣＴ４＝０．７６１（ｍｍ）；
ＡＣ４５＝０．１８２（ｍｍ）；
ＣＴ５＝０．２６４（ｍｍ）；
ＡＬＴ＝２．０１３（ｍｍ）；
ＡＡＧ＝１．０５７（ｍｍ）；
ＥＦＬ＝２．３３３（ｍｍ）；
ＣＴ４／ＣＴ１＝１．９３１；
ＡＬＴ／ＡＡＧ＝１．９０４；
ＥＦＬ／ＡＣ１２＝５．０５０；
ＡＡＧ／ＣＴ２＝２．７９６；
ＥＦＬ／ＣＴ２＝６．１７２；
ＣＴ４／ＣＴ３＝３．５２３；
ＡＬＴ／ＣＴ４＝２．６４５；
ＣＴ４／ＣＴ２＝２．０１３；
ＡＬＴ／（ＡＣ２３＋ＡＣ４５）＝４．２１１；
ＡＡＧ／ＣＴ５＝４．００４；
ＣＴ２／（ＡＣ２３＋ＡＣ３４）＝０．９１５；
ＣＴ４／ＣＴ５＝２．８８３；
ＡＣ１２／ＣＴ４＝０．６０７
【０１１３】
第１のレンズ素子８１０の物体側の面８１１から像面８７０までの光軸に沿った距離は４．１７６ｍｍであり、光学撮像レンズ８の長さが短縮されている。
【０１１４】
注目されることは、光学撮像レンズ８のＨＦＯＶが４３．３１１度に達すると同時に、一方で、その長さが僅か４．１７６ｍｍにまで短縮されているということである。従って、光学撮像レンズ８は、小型化された携帯機器用として、優れた撮像品質を提供可能である。
【０１１５】
図３１に示すように、本実施形態の光学撮像レンズ８は、縦球面収差（ａ）、サジタル方向の非点収差（ｂ）、タンジェンシャル方向の非点収差（ｃ）、および歪曲収差（ｄ）において、優れた特性を示す。従って、本実施形態の光学撮像レンズは、上記の実例によれば、実際に優れた光学性能を示し、また、光学撮像レンズ８の長さは効果的に短縮されている。
【０１１６】
図３４を参照すると、８通りのすべての実施形態についての、ＣＴ１、ＡＣ１２、ＣＴ２、ＡＣ２３、ＣＴ３、ＡＣ３４、ＣＴ４、ＡＣ４５、ＣＴ５、ＡＬＴ、ＡＡＧ、ＥＦＬ、ＣＴ４／ＣＴ１、ＡＬＴ／ＡＡＧ、ＥＦＬ／ＡＣ１２、ＡＡＧ／ＣＴ２、ＥＦＬ／ＣＴ２、ＣＴ４／ＣＴ３、ＡＬＴ／ＣＴ４、ＣＴ４／ＣＴ２、ＡＬＴ／（ＡＣ２３＋ＡＣ４５）、ＡＡＧ／ＣＴ５、ＣＴ２／（ＡＣ２３＋ＡＣ３４）、ＣＴ４／ＣＴ５、ＡＣ１２／ＣＴ４の値を示しており、本発明の光学撮像レンズが式（１）、（２）、（３）、（４）、（５）、（６）、（７）、（８）、（９）、（１０）、（１１）、（１２）、および／または（１３）を満たしていることは明らかである。
【０１１７】
次に、図３５を参照すると、前述の光学撮像レンズを適用した携帯機器２０の第１の実施形態についての例示的な構造図を示している。携帯機器２０は、ハウジング２１と、ハウジング２１内に配置された撮影モジュール２２と、を備える。携帯機器２０は、例として、携帯電話機、カメラ、タブレット型コンピュータ、パーソナルデジタルアシスタント（ＰＤＡ）などであり得るが、ただし、これらに限定されない。
【０１１８】
図３５に示すように、撮影モジュール２２は、５つのレンズ素子を有する前述の光学撮像レンズであって単焦点レンズである例えば第１の実施形態の光学撮像レンズ１と、光学撮像レンズ１を位置決めするためのレンズ鏡筒２３と、レンズ鏡筒２３を位置決めするためのモジュール収容ユニット２４と、モジュール収容ユニット２４を位置決めするための基板１７２と、光学撮像レンズ１の像側に配置される撮像センサ１７１と、を備えることができる。像面１７０は、撮像センサ１７１上に形成される。
【０１１９】
他のいくつかの例示的な実施形態では、フィルタリングユニット１６０の構成を省くことができる。いくつかの例示的な実施形態では、ハウジング２１、レンズ鏡筒２３、および／またはモジュール収容ユニット２４は、１つのコンポーネントに統合するか、または複数のコンポーネントで組み立てることができる。
いくつかの例示的な実施形態では、本実施形態で用いる撮像センサ１７１は、チップ・オン・ボード（ＣＯＢ）パッケージの形態で基板１７２に直接装着されており、そのようなパッケージは、従来のチップ・スケール・パッケージ（ＣＳＰ）とは異なり、ＣＯＢパッケージは、光学撮像レンズ１における撮像センサ１７１の前面にカバーガラスを必要としない。前述の例示的な実施形態は、このパッケージ型式に限定されるものではなく、また、他の記載の実施形態に選択的に組み込むことができる。
【０１２０】
５つのレンズ素子１１０、１２０、１３０、１４０、１５０は、隣接する２つのレンズ素子間を空隙により分離するようにして、レンズ鏡筒２３内に配置される。
【０１２１】
モジュール収容ユニット２４は、レンズ鏡筒２３を位置決めするためのレンズ支持台座２４０１と、レンズ支持台座２４０１と撮像センサ１７１との間に配置される撮像センサ台２４０６と、を備える。レンズ鏡筒２３とレンズ支持台座２４０１は同一の軸Ｉ‐Ｉ’に沿って配置され、レンズ支持台座２４０１はレンズ鏡筒２３の外側に近接している。撮像センサ台２４０６は、本実施形態では、典型例として、レンズ支持台座２４０１に近接している。撮像センサ台２４０６は、オプションとして、本発明のいくつかの他の実施形態では省くことができる。
【０１２２】
光学撮像レンズ１の長さは僅か３．８０６ｍｍであるので、携帯機器２０のサイズは極めて小さくできる。従って、本明細書に記載の実施形態は、小型化された製品設計に対する市場の需要を満たすものである。
【０１２３】
次に、図３６を参照すると、前述の光学撮像レンズ１を適用した携帯機器２０’の第２の実施形態についての別の構造図を示している。携帯機器２０’と携帯機器２０との違いの１つは、レンズ支持台座２４０１が、第１の台座ユニット２４０２と、第２の台座ユニット２４０３と、コイル２４０４と、磁気ユニット２４０５と、を含むことであり得る。第１の台座ユニット２４０２は、レンズ鏡筒２３の外側に近接して、軸Ｉ‐Ｉ’に沿って配置されており、第２の台座ユニット２４０３は、第１の台座ユニット２４０２の外側の周りにあって、軸Ｉ‐Ｉ’に沿って配置されている。コイル２４０４は、第１の台座ユニット２４０２と第２の台座ユニット２４０３の内側との間に配置されている。磁気ユニット２４０５は、コイル２４０４の外側と第２の台座ユニット２４０３の内側との間に配置されている。
【０１２４】
レンズ鏡筒２３と、その中に配置された光学撮像レンズ１は、軸Ｉ‐Ｉ’に沿って動くように、第１の台座ユニット２４０２により駆動される。携帯機器２０’の残りの構造は、携帯機器２０と同様である。
【０１２５】
同様に、光学撮像レンズ１の長さが３．８０６ｍｍと短縮されていることから、携帯機器２０’は、より小型に設計できると同時に、それでも良好な光学性能が得られる。従って、本実施形態は、小型の製品設計に対する需要および市場の要求を満たすものである。
【０１２６】
上記の実例によれば、例示的な実施形態における携帯機器およびその光学撮像レンズは、レンズ素子の詳細な構造を制御し、さらに不等式を制御することによって、光学撮像レンズの長さが効果的に短縮されると同時に、それでも良好な光学特性が得られることは、明らかである。
【０１２７】
開示された原理による種々の実施形態について上記で説明したが、当然のことながら、これらは単なる例として提示したものにすぎず、限定するものではない。よって、例示的な実施形態の広さおよび範囲は、上記実施形態のいずれによっても限定されるべきではなく、本開示に係る請求項およびそれらの均等物によってのみ規定されるべきである。
また、記載した実施形態において上記効果および特徴を提示しているが、それらは、上記効果の一部またはすべてを実現するプロセスおよび構造への、かかる請求項の適用を限定するものではない。
【０１２８】
また、本明細書におけるセクションの見出しは、本開示に係るいかなる請求項で記載される発明も、限定または特徴付けするものではない。特に、「背景技術」における技術の記載は、技術が、本開示の発明の先行技術であることを認めるものと解釈されるべきではない。また、本開示における単数形での「発明」という表現は、本開示における新規な点が１つのみであることを主張するために用いられるものではない。本開示に係る複数の請求項での限定に従って複数の発明を規定でき、よって、かかる請求項は、それらにより保護される発明およびそれらの均等物を規定するものである。いずれの場合も、かかる請求項の範囲は、本開示に照らして、それらの実体によって解釈されるものとし、本明細書の見出しによって制限されるべきではない。
【図１】
0005951722.tif 000003
【図２】
0005951722.tif 000004
【図３】
0005951722.tif 000005
【図４】
0005951722.tif 000006
【図５】
0005951722.tif 000007
【図６】
0005951722.tif 000008
【図７】
0005951722.tif 000009
【図８】
0005951722.tif 000010
【図９】
0005951722.tif 000011
【図１０】
0005951722.tif 000012
【図１１】
0005951722.tif 000013
【図１２】
0005951722.tif 000014
【図１３】
0005951722.tif 000015
【図１４】
0005951722.tif 000016
【図１５】
0005951722.tif 000017
【図１６】
0005951722.tif 000018
【図１７】
0005951722.tif 000019
【図１８】
0005951722.tif 000020
【図１９】
0005951722.tif 000021
【図２０】
0005951722.tif 000022
【図２１】
0005951722.tif 000023
【図２２】
0005951722.tif 000024
【図２３】
0005951722.tif 000025
【図２４】
0005951722.tif 000026
【図２５】
0005951722.tif 000027
【図２６】
0005951722.tif 000028
【図２７】
0005951722.tif 000029
【図２８】
0005951722.tif 000030
【図２９】
0005951722.tif 000031
【図３０】
0005951722.tif 000032
【図３１】
0005951722.tif 000033
【図３２】
0005951722.tif 000034
【図３３】
0005951722.tif 000035
【図３４】
0005951722.tif 000036
【図３５】
0005951722.tif 000037
【図３６】
0005951722.tif 000038